(57)【要約】【課題】  掲示物にラベル形式で貼り付けられたＩＣタグに管理者や掲示期間等の管理情報を記憶させ、これを非接触で読み書きして掲示物を管理する掲示物管理システムを提供する。【解決手段】  本発明に係る掲示物管理システム１を、掲示物２に貼り付けられるラベル４と、このラベル４に埋め込まれ、掲示物２の担当情報６３及び期間情報６６を含む管理情報６０が記憶されるＩＣチップ３１並びにこのＩＣチップ３１に記憶された管理情報６０を通信可能なアンテナ部３２を有するＩＣタグ３と、非接触で通信してＩＣタグ３に管理情報６０を読み書きする端末用リーダライタ６及び掲示板用リーダライタ８と、掲示板用リーダライタ８により読み出された管理情報６０の期間情報６６から掲示物２の掲示期間が経過していると判断したときに、担当情報６３に基づいて掲示物２の責任者に警告を発するサーバ装置７に実装された警告処理Ｓ２０１とから構成する。【選択図】  図４
2006119483.tif 000002
【特許請求の範囲】
【請求項１】
掲示物に貼り付けられるラベルと、
前記ラベルに埋め込まれ、前記掲示物の掲示責任者情報及び掲示期間情報を含む管理情報が記憶される記憶手段並びに前記記憶手段に記憶された前記管理情報を通信可能な通信手段を有するＩＣタグと、
非接触で通信して前記ＩＣタグに前記管理情報を読み書きする情報読み書き手段と、
前記情報読み書き手段により読み出された前記管理情報の前記掲示期間情報から前記掲示物の掲示期間が経過していると判断したときに、前記掲示責任者情報に基づいて前記掲示物の責任者に警告を発する警告手段とを有することを特徴とする掲示物管理システム。
【請求項２】
前記ＩＣタグに前記情報読み書き手段を用いて前記管理情報を書き込む掲示情報書き込み手段を有することを特徴とする請求項１に記載の掲示物管理システム。
【請求項３】
前記ラベルが、台紙から剥がして前記掲示物に貼付することが可能なシール状に構成されるとともに、前記台紙から剥がされたか否かの貼付情報を検出し、前記通信手段により前記貼付情報を前記管理情報の一部として通信可能な状態検出手段を有し、
前記警告手段が、前記貼付情報から前記ラベルが前記台紙から剥がされたと判断され、且つ、前記掲示期間が経過していると判断したときに、警告を発するように構成されたことを特徴とする請求項１または２に記載の掲示物管理システム。
【請求項４】
前記ラベルが、前記掲示物に貼付されたか否かの貼付情報を検出し、前記通信手段により前記貼付情報を前記管理情報の一部として通信可能な状態検出手段を有し、
前記警告手段が、前記貼付情報から前記ラベルが前記掲示物に貼付されたと判断され、且つ、前記掲示期間が経過していると判断したときに、警告を発するように構成されたことを特徴とする請求項１または２に記載の掲示物管理システム。
【請求項５】
前記ラベルが、前記掲示物が廃棄されたことを識別して前記管理情報の一部として廃棄情報を通信可能な廃棄管理手段を有し、
前記警告手段が、前記廃棄情報から前記掲示物が廃棄されたと判断したときは、前記警告を発しないように構成されたことを特徴とする請求項１〜４のいずれかに記載の掲示物管理システム。
【請求項６】
前記掲示物の変更された前記掲示期間を入力する変更情報入力手段と、
変更された前記掲示期間を前記情報読み書き手段により前記情報記憶手段に書き込む変更情報書き込み手段とを有して構成されることを特徴とする請求項１〜５のいずれかに記載の掲示物管理システム。
【請求項７】
前記ＩＣタグの前記記憶手段に前記掲示物を管理する主管部門を示す主管部門情報を前記管理情報として記憶し、
前記警告手段が、前記情報読み書き手段により読み出された前記管理情報の前記主管部門情報に基づいて前記主管部門に警告を発するように構成されたことを特徴とする請求項１〜６のいずれかに記載の掲示物管理システム。
【発明の詳細な説明】
【技術分野】
【０００１】
本発明は、掲示板等に掲示された掲示物を管理する掲示物管理システムに関する。
【背景技術】
【０００２】
紙に情報が印刷された掲示物を掲示板等の掲示場所に貼りだす方法は、緊急性の少ない情報を多数の人に知らせる方法として有効である。このような情報は、人が印刷された情報を読み取ることにより伝達されるが、このような情報を効率良く収集するために、この情報を掲示物に埋め込まれた（若しくは貼り付けられた）ＩＣタグに記憶しておき、携帯端末等で非接触にて読み取って確認できるようにしたシステムが知られている（例えば、特許文献１または２参照）。
【０００３】
【特許文献１】特開２００４−１３９４９９号公報
【０００４】
【特許文献２】特開２００２−１６２９１８号公報
【発明の開示】
【発明が解決しようとする課題】
【０００５】
しかしながら、このような掲示物は、掲示期間を過ぎると情報の価値が無くなり、そのまま掲示された状態が続くと必要な情報（掲示物）が見つけにくくなったり、誤った情報を発信してしまう虞もある。そのため、掲示物に掲示期間を表記して必要に応じて剥がす等の管理を行うが、長期の掲示物などでは管理者が期限を忘れてしまい、掲示されたままになってしまう。
【０００６】
本発明は、このような課題に鑑みてなされたものであり、掲示物にラベル形式で貼り付けられたＩＣタグに掲示責任者や掲示期間等の管理情報を記憶させ、これを非接触で読み書きして掲示物を管理する掲示物管理システムを提供することを目的とする。
【課題を解決するための手段】
【０００７】
前記課題を解決するために、本発明に係る掲示物管理システムは、掲示物に貼り付けられるラベルと、このラベルに埋め込まれ、掲示物の掲示責任者情報（例えば、実施形態における担当６３）及び掲示期間情報（例えば、実施形態における期間６６）を含む管理情報が記憶される記憶手段（例えば、実施形態におけるＩＣチップ３１）並びにこの記憶手段に記憶された管理情報を通信可能な通信手段（例えば、実施形態におけるアンテナ部３２）を有するＩＣタグと、非接触で通信してＩＣタグに管理情報を読み書きする情報読み書き手段（例えば、実施形態におけるリーダライタ６，８）と、情報読み書き手段により読み出された管理情報の掲示期間情報から掲示物の掲示期間が経過していると判断したときに、掲示責任者情報に基づいて掲示物の責任者に警告を発する警告手段（例えば、実施形態におけるサーバ装置７に実装された警告処理Ｓ２０１）とを有して構成される。
【０００８】
このとき、ＩＣタグに情報読み書き手段を用いて管理情報を書き込む掲示情報書き込み手段（例えば、実施形態における端末装置５に実装された書き込み処理Ｓ１０３）を有して構成されることが好ましい。
【０００９】
また、ラベルが、台紙から剥がして掲示物に貼付することが可能なシール状に構成されるとともに、台紙から剥がされたか否かの貼付情報を検出し、通信手段により貼付情報を管理情報の一部として通信可能な状態検出手段（例えば、実施形態における状態検出部３５）を有し、警告手段が、貼付情報からラベルが台紙から剥がされたと判断され、且つ、掲示期間が経過していると判断したときに、警告を発するように構成されることが好ましい。あるいは、ラベルが、掲示物に貼付されたか否かの貼付情報を検出し、通信手段により貼付情報を管理情報の一部として通信可能な状態検出手段（例えば、実施形態における状態検出部３５′）を有し、警告手段が、前記ラベルが前記掲示物に貼付されたと判断され、且つ、掲示期間が経過していると判断したときに、警告を発するように構成されることが好ましい。
【００１０】
また、ラベルが、掲示物が廃棄されたことを識別して管理情報の一部として廃棄情報を通信可能な廃棄管理手段（例えば、実施形態における廃棄検出部３９）を有し、警告手段が、廃棄情報から掲示物が廃棄されたと判断したときは、警告を発しないように構成されることが好ましい。
【００１１】
また、掲示物が経咽喉された掲示期間を入力する変更情報入力手段（例えば、実施形態における端末装置５に実装された延長申請処理Ｓ３００）と、変更された掲示期間を情報読み書き手段により情報記憶手段に書き込む変更情報書き込み手段（例えば、実施形態におけるサーバ装置７に実装された延長承認処理Ｓ３０２）とを有して構成されることが好ましい。
【００１２】
さらに、ＩＣタグの記憶手段に掲示物を管理する主管部門を示す主管部門情報を管理情報として記憶し、警告手段が、情報読み書き手段により読み出された管理情報の主管部門情報に基づいて主管部門に警告を発するように構成されることが好ましい。
【発明の効果】
【００１３】
本発明に係る掲示物管理システムを以上のように構成すると、掲示期間内にある掲示物の情報を有効に提示することができ、且つ、掲示期間が経過した掲示物の管理が容易となり管理コストを低減させることができる。
【００１４】
このとき、掲示物に貼付されるラベルが、台紙から剥がされて使用されているものか否か、若しくは、掲示物に貼付されたか否かを検出可能とすることにより、情報読み書き手段の送受信可能範囲に未使用のラベルがあっても、掲示物に貼り付けられたものか否かの区別が付くため管理が容易になる。
【００１５】
また、廃棄されたことを識別する廃棄管理手段をラベルに持たせることで、廃棄された掲示物が情報読み書き手段の送受信可能範囲にあっても、区別が付くため管理が容易になる。
【００１６】
また、掲示物の掲示期間を延長する手段を設けることにより、掲示物の管理の利便性が向上するとともに、管理コストを低減させることができる。
【００１７】
さらに、主管部門情報に基づいて主管部門に警告を発するように構成することにより、掲示物を管理する主管部門とその依頼により掲示物を掲示する担当部門とから構成される場合にも本発明に係る掲示物管理システムを用いることができる。
【発明を実施するための最良の形態】
【００１８】
以下、本発明の好ましい実施形態について図面を参照して説明する。この掲示物管理システム１は、図１に示すように、掲示物２に、ＩＣタグ３を貼り付け、このＩＣタグ３にこの掲示物２の掲示責任者や掲示期間等の管理情報を記憶させ、掲示板１１に設けられたリーダライタ８により、このリーダライタ８の送受信可能範囲にあるＩＣタグ３の管理情報を読み書きして、掲示期間等を管理するものである。
【００１９】
まず、掲示物管理システム１のシステム構成を、図２を用いて説明する。この掲示物管理システム１は、掲示物２に取り付けられるＩＣタグ３と、掲示物２の掲示責任者が利用して、掲示物２の掲示申請等を行う端末装置５と、この端末装置５に接続され、端末装置５から入力された管理情報をＩＣタグ３に記憶させる端末用リーダライタ６と、掲示板１１等の掲示場所に配設され、掲示された掲示物２のＩＣタグ３に対して管理情報を読み書きする掲示板用リーダライタ８と、掲示板用リーダライタ８により読み書きされる掲示物２の管理情報を管理するサーバ装置７とから構成される。このとき、ＩＣタグ３は、掲示物２への貼り付けが容易となるように、シール状のラベル４に埋め込まれている。また、端末装置５とサーバ装置７とは、ローカルエリアネットワーク等で構成されるネットワーク９に接続されており、互いに通信可能に構成されている。なお、複数の掲示場所（掲示板１１）がある場合は、掲示板用リーダライタ８は各々の掲示場所に配設されており、図２に示すようにサーバ装置７とは直接接続されていても良いし、あるいはネットワーク９を介して接続されていても良い。
【００２０】
次に、ＩＣタグ３及びこのＩＣタグ３が埋め込まれたラベル４について図３を用いて説明する。ＩＣタグ３は、台紙４０に複数形成されたラベル４の各々に埋め込まれており、このラベル４は、台紙４０から剥がされて掲示物２に貼付可能に構成されている。ＩＣタグ３は、掲示物２の管理情報を記憶するＩＣチップ３１と、このＩＣチップ３１に情報を書き込んだり、読み出したりするための電磁波を送受信するアンテナ部３２とを有している。また、このＩＣタグ３は、ラベル４の縁部に備えられ、ＩＣチップ３１に２本一組の配線３３により接続された２個一組の端子部３４から構成される状態検出部３５を有している。
【００２１】
この状態検出部３５は、端子部３４の導通状態をＩＣチップ３１に出力するように構成されており、一組の端子部３４が導通しているときにＩＣチップ３１に入力される信号を「０」とし、一組の端子部３４が導通していないときにＩＣチップ３１に入力される信号を「１」とすると、この端子部３４が導通しているか否かによって、２値情報を表すことができる。つまり、本実施例の状態検出部３５は、端子部３４を導通させるか否かによって情報の書き込み及び読み出しが可能な簡便なＲＡＭを構成している。
【００２２】
本実施例においては、ラベル４が台紙４０に貼り付けられているときは、図３（ａ）に示すように、その一組の端子部３４が台紙４０側に形成された導通部３６と電気的に接続されている。すなわち、端子部３４は導通している。一方、ラベル４を台紙４０から剥がすと、図３（ｂ），（ｃ）に示すように端子部３４は切断される。そのため、このように構成されたラベル４をリーダライタ６，８に接近させることで、アンテナ部３２を介して無線で通信を行い、導通部３６との接触状態に応じた情報（このラベル４が台紙４０に貼付されていて状態検出部３５からＩＣチップ３１に「０」の信号が出力されている状態、若しくは、剥がされて「１」の信号が出力されている状態であって、以降の説明では「貼付情報」と呼ぶ）を管理情報の一部として非接触で読み取ることができる。このように、特別のリーダライタを必要とせず、従来のＩＣタグに用いられるリーダライタを利用することができるため、利便性が大幅に向上する。
【００２３】
それでは、掲示物管理システム１により掲示物２を管理する方法について、図４及び図５を用いて説明する。なお、台紙４０に貼り付けられたラベル４は、掲示物２を掲示しようとする掲示責任者が所持しているものとして説明を行う。
【００２４】
まず、掲示物２を掲示板１１に掲示しようとする掲示責任者は、端末装置５の掲示物申請処理Ｓ１００により掲示物２の管理情報を入力する。ここで、管理情報は、例えば、掲示物２の管理番号、管理責任者の識別番号（担当）、掲示物の内容、掲示する掲示期間（期間）、掲示する場所（掲示板１１の管理番号やその掲示板１１が送受信範囲にある掲示板用リーダライタ８の管理番号等）、管理責任者の連絡先（例えば、電子メールのアドレス）等である。この端末装置５から入力された管理情報は、ネットワーク９を介してサーバ装置７に送信されて申請受信処理Ｓ１０１で受信され、申請承認処理Ｓ１０２に渡される。なお、掲示物２の管理番号は、ラベル４に埋め込まれたＩＣタグ３に初期情報として予め記憶されており（図４におけるＩＤ６１）、また、各々のＩＣタグ３に記憶された管理番号（図５におけるＩＤ６１）が、各々のラベル４の表面に印刷されている。そのため、掲示責任者はラベル４に記載された管理番号を認識することができ、その管理番号が端末装置５から入力される。
【００２５】
申請承認処理Ｓ１０２は、掲示責任者から申請された（入力された）掲示物２の管理情報をサーバ装置７に設けられた外部記憶装置に掲示物データベース７０として記憶して管理する。なお、掲示物データベース７０は、上述のように掲示責任者から入力された管理情報を管理するために、管理番号（ＩＤ７１）に対応付けて担当情報７２、期間情報７３、連絡先情報７４、内容情報７５及び場所情報７６の各情報を管理している。なお、申請承認処理Ｓ１０２は、申請受信処理Ｓ１０１から管理情報が渡されると自動的に起動されて掲示物２の管理情報を掲示物データベース７０に記憶させるように構成して承認してもよいし、このサーバ装置７に接続された管理者用端末１０に申請された管理情報を表示し、管理者が掲示物２の掲示を承認した後に掲示物データベース７０に管理情報を記憶させるように構成しても良い。
【００２６】
申請承認処理Ｓ１０２で掲示物２の掲示が承認されると、端末装置５の書き込み処理Ｓ１０３が、管理情報６０として、対応する管理番号（ＩＤ６１）が記憶されているラベル４のＩＣタグ３に、承認情報６２、担当情報６３、内容情報６４、及び、期間情報６５を、端末用リーダライタ６を用いて書き込む。そして、掲示責任者は、台紙４０からラベル４を剥がし、掲示物２の所定の位置に貼り付けて、掲示板１１に掲示物２を掲示する。
【００２７】
このようにして管理された掲示物２の管理情報６０を用いて、サーバ装置７の掲示状況確認処理Ｓ２００は掲示された掲示物２の管理を行う。この掲示状況確認処理Ｓ２００は、所定の時間間隔毎に、掲示板用リーダライタ８により掲示板１１に貼り付けられた掲示物２のＩＣタグ３に記憶された管理情報６０を読み出し、その管理情報６０に含まれるＩＤ６１に基づいて掲示物データベース７０を検索し、場所情報７６や期間情報７３を読み出す。そして、その掲示物２が正しい場所（掲示板１１）に掲示されているか、及び、掲示期間が経過していないかをチェックする。
【００２８】
掲示物２が正しい場所に掲示されているか否かは、各掲示板１１に配置された掲示板用リーダライタ８により、そのリーダライタ８の送受信可能距離にある掲示物２のＩＣタグ３から管理情報６０を読み出し、この管理情報６０に記憶された管理番号（ＩＤ６１）から掲示物データベース７０を検索して、この掲示物データベース７０のＩＤ７１に対応する場所情報７６を読み出して、読み出しを行った掲示板用リーダライタ８が設置されている場所とを比較することにより行う。また、掲示期間については、読み出された管理情報６０に含まれる期間情報６５と現在の日時を比較し、掲示期間が経過しているか否かを検査する。そして、この掲示状況確認処理Ｓ２００は、掲示場所が不一致である場合、及び、掲示期間が経過している場合には、警告処理Ｓ２０１を起動する。
【００２９】
警告処理Ｓ２０１は、掲示場所が不一致である旨、若しくは、掲示期間が経過している旨を掲示責任者に警告する処理であり、ＩＣタグ３から読み出された管理情報６０のＩＤ６１及び担当情報６３に基づいて掲示物データベース７０を検索し、連絡先情報７４を読み出して、その情報に対応する連絡先に警告を送信する。例えば、連絡先情報７４をメールアドレスとして管理している場合には、電子メールを用いて掲示責任者に警告を送信する。送信された警告は、端末装置５の警告受信処理Ｓ２０３で受信され、掲示責任者に通知される。
【００３０】
サーバ装置７から警告を受けた掲示責任者は、端末装置５の延長申請処理Ｓ３００を用いて、掲示期間の延長を行うことができる。延長申請処理Ｓ３００は、掲示責任者から入力された管理番号及び掲示期間（延長期間）をサーバ装置７の延長受信処理Ｓ３０１に送信し、延長受信処理Ｓ３０１は、それらの情報を延長承認処理Ｓ３０２に渡す。
【００３１】
延長承認処理Ｓ３０２は、管理番号（ＩＤ７１）で掲示物データベース７０を検索し、この管理番号に対応する期間情報７３を延長期間に書き換える。同時に、場所情報７６に記憶された掲示場所に対応する掲示板用リーダライタ８を用いて、掲示物２のＩＣタグ３に記憶された期間情報６５を延長期間に書き換える。
【００３２】
なお、掲示場所不一致の警告を受けた場合は、上記の掲示期間の延長と同様に、掲示場所の変更承認を端末装置５から入力して行うように構成することも可能であるし、掲示場所を正しい位置に貼り替えるようにすることもできる。
【００３３】
以上のように、掲示物２にＩＣタグ３を貼り付けて、このＩＣタグ３に掲示物２の管理情報６０を記憶させ、所定の時間間隔でこのＩＣタグ３から管理情報６０を読み出すことにより、掲示板１１に掲示された掲示物２の管理を行うことができる。そのため、掲示期間内の有効な情報を利用者に提示することができ、且つ、掲示期間が経過した掲示物２や、掲示場所が誤っている掲示物２の管理が容易となり管理コストを低減させることができる。また、掲示期間の延長も掲示責任者が端末装置５から行うことができ、さらに、掲示物２の管理の利便性が向上するとともに、管理コストを低減させることができる。
【００３４】
また、掲示物状況確認処理Ｓ２００で掲示物２のＩＣタグ３から管理情報６０を読み出したときに、初期情報としてこのＩＣタグ３に書き込まれている管理番号（ＩＤ６１）以外の情報（承認情報６２等）が書き込まれていない場合は、未承認の掲示物２が掲示されていると判断できる。そのため、このような場合は、管理者用端末１０に警告が出力することにより、管理者が掲示板１１を巡回して確認することなく、未承認の掲示物２の管理を行うことができる。若しくは、ＩＣタグ３に管理番号（ＩＤ６１）とともに、このＩＣタグ３が埋め込まれたラベル４が配布された部門情報を記憶させておき、この部門情報に対応する部門の管理者に、上述のように電子メールを用いて警告を行うように構成することもできる。
【００３５】
なお、ＩＣタグ３からリーダライタ６，８で読み出される管理情報６０には、上述の状態検出部３５から出力される貼付情報も含まれている。そのため、例えば、掲示板用リーダライタ８の送受信可能範囲に、未使用のラベル４が置かれていたとしても、この貼付情報により、掲示物２に貼り付けられているラベル４か、未使用のラベル４か否かを確認することができるため、使用されたラベル４、すなわち、このラベル４が貼り付けられた掲示物２に対して警告を発するように構成することができる。同様に、掲示担当者が端末装置５から掲示申請をする際に、書き込み処理Ｓ１０３が貼付情報により、使用されているラベル４に承認情報等を書き込もうとしているのか等を確認することができるため、間違ったラベル４（管理番号）のＩＣタグ３に管理情報を書き込むのを防止することができる。
【００３６】
以上のように構成された掲示物管理システム１を用いると、例えば、主管部門から担当部門に掲示物２の掲示を依頼して、各担当部門で掲示及び取外しを行うような場合にも、この掲示物２の管理を行うことができる。例えば、主管部門において、上述のように掲示申請を行い、ラベル４のＩＣタグ３に管理情報７０を書き込む（上述の掲示物申請処理Ｓ１００〜書き込み処理Ｓ１０３）。ここで、書き込まれる管理情報７０は、図６に示す第１情報に対応する承認情報７２、第１部門情報（この主管部門）７３、第１担当情報（主管部門の担当）７４、第１連絡先情報（主管部門の連絡先）７５、内容情報７６、及び、期間情報７７である。なお、管理番号７１は初期情報としてＩＣタグ３に記憶されている。そして、台紙４０からラベル４を剥がして掲示物２に貼り付け、この掲示物２を各担当部門に送付する。各担当部門では、掲示物２に貼り付けられたラベル４に記載された管理番号７１を読み取り、この管理番号７１と各担当部門の管理情報、すなわち、図６に示す第２情報に対応する第２部門情報７８、第２担当情報７９、及び、第２連絡先情報８０を、掲示物申請処理Ｓ１００〜書き込み処理Ｓ１０３を用いてＩＣタグ３に記憶させ、その部門の管轄の掲示板１１に掲示する。
【００３７】
ＩＣタグ３に以上のような管理情報７０を記憶させることにより、警告処理Ｓ２０１が、掲示期間が経過した等の警告は、第２情報に基づいて各担当部門の担当者に送り、また、同時に、このＩＣタグ３の管理情報７０から、主管部門に対して掲示物２が所定の掲示板１１に掲示されていない場合にこの主管部門に警告をするように構成することにより、主管部門からの指示通りに各担当部門が掲示したか否かを確認することができる。
【００３８】
ところで、掲示期間が過ぎて取り外された掲示物２が、廃棄されるまでの間に、掲示板用リーダライタ８等の送受信範囲に入っていると、掲示物管理システム１は、その掲示物２が掲示板１１に掲示されているものと認識してしまう。そのため、図７に示すように、ラベル４のＩＣタグ３に、状態検出部３５とは別に、一組の端子３７及び配線３８からなる廃棄検出部３９を設けることにより廃棄された掲示物２を識別することができる。この廃棄検出部３９の端子３７は、ラベル４の表面に露出するように配設されており、台紙４０に貼り付けられているとき、及び、掲示物２に貼り付けられているときは、この端子３７は導通していない。すなわち、この廃棄検出部３９からＩＣチップ３１には「１」の信号が出力されている。この廃棄検出部３９から出力される信号（「廃棄情報」と呼ぶ）は、貼付情報と同様に管理情報としてリーダライタ６，８から非接触で読み出せるように構成する。
【００３９】
そして、掲示責任者が掲示物２を掲示板１１から取り外したときに、廃棄検出部３９の端子３７に導電性を有するシール５０を貼り付けることにより、この端子３７は導通され、廃棄情報は「０」となり、これを読み出したサーバ装置７において、掲示物２が廃棄されたことを検出することができ、廃棄された掲示物２については、警告等を行わないように構成することができる。
【００４０】
なお、以上の実施例においては、状態検出部３５が、端子部３４が切断されることによりラベル４が台紙４０から剥がされたことを検出できるように構成された場合について説明したが、図８に示すように、上述の廃棄検出部３９の構成と同様に、状態検出部３５′を、ラベル４′の表面に露出する端子部３４′とそれをＩＣチップ３１に接続する配線３３′とから構成することもできる。この場合、ラベル４′を掲示物２に貼り付けたときに、導電性のシール３６′を端子部３４′に貼る若しくは予め貼ってあるシール３６′を剥がすことによりこのラベル４′の状態を検出することができる。
【００４１】
また、本実施例において、リーダライタ６，８の送受信可能範囲を限定することにより、同じフロア内に複数の掲示板１１があったとしても、それぞれに配設されたリーダライタ８でそれぞれの掲示板１１に貼られた掲示物２を識別して管理することができる。
【図面の簡単な説明】
【００４２】
【図１】掲示板に掲示物が掲示されている状態を示す説明図である。
【図２】本発明に係る掲示物管理システムのシステム構成を示すブロック図である。
【図３】ラベル及びＩＣタグの構造を示す図であり、（ａ）はラベルに台紙に貼り付けられている状態を示す図であり、（ｂ）はラベルが台紙から剥がされた状態を示す図であり、（ｃ）は（ｂ）の側面図である。
【図４】本発明に係る掲示物管理システムの処理の流れを示すブロック図である。
【図５】ＩＣタグに記憶された管理情報の構造を示す図である。
【図６】主管部門と担当部門の情報を管理するためにＩＣタグに記憶された管理情報の構造を示す図である。
【図７】破棄検出部を有するラベル及びＩＣタグの構造を示す図である。
【図８】状態検出部をラベル上に露出した端子部で構成した場合を示す図である。
【符号の説明】
【００４３】
１  掲示物管理システム
２  掲示物
３  ＩＣタグ
４  ラベル
５  端末装置
６  端末用リーダライタ（情報読み書き手段）
７  サーバ装置
８  掲示板用リーダライタ（情報読み書き手段）
３１  ＩＣチップ（記憶手段）
３２  アンテナ部（通信手段）
３５  状態検出部（状態検出手段）
３９  廃棄検出部（廃棄管理手段）
６０  管理情報
６３  担当情報（掲示責任者情報）
６６  期間情報（掲示期間情報）
Ｓ１０３  書き込み処理（掲示情報書き込み手段）
Ｓ２０１  警告処理（警告手段）
Ｓ３００  延長申請処理（変更情報入力手段）
Ｓ３０２  延長承認処理（変更情報書き込み手段）
【図１】
2006119483.tif 000003
【図２】
2006119483.tif 000004
【図３】
2006119483.tif 000005
【図４】
2006119483.tif 000006
【図５】
2006119483.tif 000007
【図６】
2006119483.tif 000008
【図７】
2006119483.tif 000009
【図８】
2006119483.tif 000010